(57)【要約】【課題】受信機本体の受信可能放送とカード型チューナーの受信可能放送を簡単に切り換え可能で使い勝手がよく、構成部品も簡略化できてコストを安くでき、また、カード型チューナーからのデータから簡単に本体側のデスクランブル処理を変更できるようにする。【解決手段】本体２側は得られたＴＳ信号から多重分離回路２５を通してＰＡＴおよびＰＭＴなどのＰＳＩ／ＳＩ情報の取得を行って、映像および音声などが伝送されているパケットＩＤを取得すると共に、スクランブル処理が施されているか否か確認を行う。スクランブルが施されている場合には、カード型チューナー１のＩＣカード１４からスクランブル鍵を得るために、ＴＳ信号からＥＣＭを取得し、カード型チューナー１のＩＣカードＩ／Ｆ１２に接続されたＩＣカード１４に対して、コマンドを発行し、その応答としてスクランブル鍵を得る。【選択図】　　　図１
2004056487.tif 000002
【特許請求の範囲】
【請求項１】
高周波信号が入力される信号入力端子と、入力された高周波信号から所望の周波数の信号を抽出し、抽出された信号を復調してデジタル信号に変換するチューナーと、復調されたデジタル信号のスクランブルを解除するためのスクランブル鍵を取得するためのＩＣカードインターフェース部と、前記チューナー及びＩＣカードインターフェース部とコマンドおよびデータの受け渡しを行うためのバスインターフェース部とを備えたことを特徴としたカード型チューナー。
【請求項２】
デスクランブル処理に必要な信号処理プログラムを格納した記憶装置を更に備え、
前記バスインターフェース部を介して、前記記憶装置から前記信号処理プログラムのデータを読み出し、該信号処理プログラムのデータに基づき読み出し側のデスクランブル処理を変更可能なことを特徴とした請求項１記載のカード型チューナー。
【請求項３】
デスクランブル処理に必要な論理回路の構成データを格納した記憶装置を更に備え、
前記バスインターフェース部を介して、前記記憶装置から前記論理回路の構成データを読み出し、該論理回路の構成データに基づき読み出し側のデスクランブル処理を変更可能なことを特徴とした請求項１記載のカード型チューナー。
【発明の詳細な説明】
【０００１】
【発明の属する技術分野】
本発明は、メモリーカード等の拡張スロットを備えたデジタル放送受信機等の情報処理装置に装着するカード型チューナーに関するものであり、デジタル放送受信機等の情報処理装置の拡張スロットに装着することで、デジタル放送の受信機能を新たに追加できるようにするものである。
【０００２】
【従来の技術】
周知のように、デジタル放送にあっては、変調方式および限定受信方式が異なる放送が複数存在する。
一方、デジタル放送を受信する放送受信機は一般に特定の放送の受信を想定しており、新たに変調方式および限定受信方式が異なる放送が増えた場合、ソフトウェア更新を行っても、そのままでは対応することが困難であった。
【０００３】
最近では、この種の従来技術として、特開平１１−１２２５５０号公報のようなカード型チューナーや、特開平７−３０５３７号公報のような放送受信機の公知文献がある。
【０００４】
例えば、特開平１１−１２２５５０号公報に示される従来のカード型チューナーは、図２に示すように、アンテナ部１０１を介して入力された高周波信号から所望の周波数の信号を抽出して、抽出した信号を復調してデジタル信号に変換するチューナー１０３と、信号のスクランブル解除を行うためのデスクランブラ１０４と、デスクランブラでスクランブル解除を行う際に必要な鍵データを取得するためのＩＣカードインターフェース部１０８と、トランスポートストリームから所望のパケットを抽出する多重分離回路１０５と、抽出したデータを一時的にバッファリングして本体側に転送を行うためのＤＭＡ制御等を含むバスインターフェース回路１０９と、コンピュータなどの情報処理装置の拡張スロットに装着するための接続コネクタ１１０を備え、パーソナルコンピュータなどの情報処理装置１５０に装着することで、デジタル放送の受信機能を追加することを可能とする。
【０００５】
また、特開平７−３０５３７号公報に示される従来のデジタル放送受信機は、図３に示すように、アンテナ２０２を介して複数の放送の電波を受信してデジタル信号に変換するチューナー２０３と、チューナー２０３からのデジタル信号のスクランブル解除を行うためのデスクランブラ２０４と、スクランブル解除後のデジタル信号を復号化して映像／音声などの信号に変換するための復号器２０５と、複数のデータ放送の視聴に必要なスクランブル解除およびデータ復号のための処理データを格納する固定型の記憶装置２０１と、デスクランブル処理に必要なスクランブル鍵を得るためのＩＣカード２０７を装着するためのＩＣカードインターフェース部２０８とを備え、符号化方式およびスクランブル方式の異なる複数のデータ放送を受信する際には固定型の記憶装置２０１から適時読み出すことで、符号化方式およびスクランブル方式の異なる複数の放送の視聴を可能とする。
【０００６】
【発明が解決しようとする課題】
しかし、特開平１１−１２２５５０号公報に示される従来のカード型チューナーは、パーソナルコンピュータなどの汎用の情報処理装置を対象としているため、カード型チューナー側に信号のスクランブル解除を行うためのデスクランブラ１０４、トランスポートストリームから所望のパケットを抽出するための多重分離回路１０５を備える必要があり、デジタル放送受信機に装着するカード型チューナーの構成としてはコスト増となる問題がある。
【０００７】
すなわち、トランスポートストリーム信号のスクランブル解除を行うためのデスクランブラと、トランスポートストリームから所望のパケットを抽出するフィルタ部は、パーソナルコンピュータなどの汎用の情報処理装置に装着するカード型チューナーでは有料放送を含むデジタル放送の視聴を可能にするために必要であるが、デジタル放送受信機に装着するカード型チューナーでは放送受信機側で備えているものを利用できるため、コスト増となってしまう。
【０００８】
また、特開平７−３０５３７号公報に示される従来のデジタル放送受信機は、新たにデジタル放送の受信機能を追加する場合、チューナーが対応している周波数帯および変調方式、ならびに、固定型の記憶装置に格納されているスクランブル方式によって制約を受けるため、容易には対応できない。また、放送チャンネル毎にスクランブル鍵を得るためのＩＣカードが異なる場合もあり、この場合、ユーザーはチャンネルを切り替えの際にＩＣカードを入れ替える必要があり、使い勝手の面で問題がある。
【０００９】
すなわち、新たにデジタル放送の受信機能を追加することを考えた場合、チューナーが対応している周波数帯および変調方式、ならびに、固定型の記憶装置に格納されているスクランブル方式によって制約を受けるため、容易には対応できない。また、放送チャンネル毎にスクランブル鍵を得るためのＩＣカードが異なる場合があり、この場合、ユーザーはチャンネルを切り替えの際にＩＣカードを入れ替える必要があり、使い勝手の面で問題がある。
【００１０】
本発明の目的は、受信機本体の受信可能放送とカード型チューナーの受信可能放送を簡単に切り換え可能で使い勝手がよく、構成部品も簡略化できてコストを安くでき、また、カード型チューナーからのデータから簡単に本体側のデスクランブル処理を変更できるカード型チューナーを提供することにある。
【００１１】
【課題を解決するための手段】
第１の発明は、高周波信号が入力される信号入力端子と、入力された高周波信号から所望の周波数の信号を抽出し、抽出された信号を復調してデジタル信号に変換するチューナーと、復調されたデジタル信号のスクランブルを解除するためのスクランブル鍵を取得するためのＩＣカードインターフェース部と、前記チューナー及びＩＣカードインターフェース部とコマンドおよびデータの受け渡しを行うためのバスインターフェース部とを備えたことを特徴としたカード型チューナーである。
【００１２】
第２の発明は、デスクランブル処理に必要な信号処理プログラムを格納した記憶装置を更に備え、前記バスインターフェース部を介して、前記記憶装置から前記信号処理プログラムのデータを読み出し、該信号処理プログラムのデータに基づき読み出し側のデスクランブル処理を変更可能なことを特徴としたカード型チューナーである。
【００１３】
第３の発明は、デスクランブル処理に必要な論理回路の構成データを格納した記憶装置を更に備え、前記バスインターフェース部を介して、前記記憶装置から前記論理回路の構成データを読み出し、該論理回路の構成データに基づき読み出し側のデスクランブル処理を変更可能なことを特徴としたカード型チューナーである。
【００１４】
第１の発明のカード型チューナーにおいて、カード型チューナーで受信するデジタル放送の提示に必要なスクランブル鍵は、デジタル放送受信機本体側のＩＣカードインターフェースを利用しなくても、カード型チューナー側のＩＣカードインターフェースを介して得ることでき、異なるＩＣカードを必要とするデジタル放送受信機の放送とカード型チューナーの放送を交互に切り換えて視聴する場合でも、ＩＣカード交換の手間をユーザーに強いることなく、視聴することを可能とする。また、デジタル放送受信機側（本体側）のデスクランブラおよび多重分離回路部を利用するため、有料放送を含めた放送受信機能を新たに追加する場合のカード型チューナーを回路規模ならびにコストで実現可能とする。
【００１５】
第２の発明のカード型チューナーにおいて、カード型チューナーで受信されるデジタル放送のスクランブル方式に本体側が未対応の場合でも、デスクランブル処理のソフトウェアをカード型チューナーから読み出して入れ替えることで、カード型チューナーで受信されるデジタル放送のスクランブル方式に対応することを可能とする。
【００１６】
第３の発明のカード型チューナーにおいて、カード型チューナーで受信されるデジタル放送のスクランブル方式に本体側が未対応の場合でも、カード型チューナーから読み出した論理回路データでＰＬＤ等のプログラマブル可能なデバイスの内部回路を再構成することで、カード型チューナーで受信されるデジタル放送のスクランブル方式に対応することを可能とする。
【００１７】
【発明の実施の形態】
以下、図を用いて、本発明の実施の形態を説明する。
図１は、本発明のカード型チューナーとデジタル放送受信機の一実施形態を示すブロック図である。
デジタル放送受信機２には、カード型チューナー１が着脱自在である。
【００１８】
カード型チューナー１は、アンテナ１１を介して高周波信号が入力される信号入力端子１８と、入力された高周波信号から所望の周波数の信号を抽出し、抽出された信号を復調してトランスポートストリーム信号（以下、ＴＳ信号と略す）に変換するチューナー１０と、ＩＣカードコネクタ１３を介して接続されるＩＣカード１４からＴＳ信号のスクランブルを解除するための鍵を取得するためのＩＣカードＩ／Ｆ部１２と、デジタル放送受信機２のシステムバスと接続時にデータ転送等を制御するためのバスＩ／Ｆ部１６とデジタル放送受信機２の拡張スロットに接続されるコネクタ１７から構成される。
【００１９】
また、カード型チューナー１は、デジタル放送受信機２のデスクランブラ２４でスクランブル解除を行う際に必要な信号処理プログラムまたは論理回路の構成データを不揮発性メモリに備え、デジタル放送受信機２側のＤＳＰ（デジタル信号処理プロセッサ）またはＰＬＤ（プログラブルデバイス）などで構成されるデスクランブラ２４の処理を変更できるようになっている。
【００２０】
デジタル放送受信機２は、システムバス３１を介してメモリ２２およびＲＯＭ２３からからプログラムおよびデータを読み出して各デバイスの制御を行うＣＰＵ２１と、リモコン４０でユーザーが操作したときに操作内容を受信部３９で受け取るためのユーザーＩ／Ｆ部３０と、ＣＰＵ２１からの制御によって信号入力端子１８から入力された高周波信号から所望の周波数の信号を抽出して抽出された信号を復調してＴＳ信号に変換するチューナー２７と、ＩＣカードコネクタ３７を介して接続されるＩＣカード３６からＴＳ信号のスクランブルを解除するための鍵を取得するためのＩＣカードＩ／Ｆ部２８と、取り出した鍵を使って実際にＴＳ信号のスクランブル解除を行うデスクランブラ２４と、ＴＳ信号からＰＳＩ／ＳＩ情報および映像／音声のＰＥＳ情報を抽出するための多重分離回路２５と、抽出した映像／音声のＰＥＳ情報をデコードして映像信号４１および音声信号４２として出力する映像／音声処理回路２６と、カード型チューナー１を接続して新たにデジタル放送の受信機能を追加可能とする拡張スロット２０から構成される。
【００２１】
モデム２９は有料番組を購入した場合などに電話回線３８を用いてセンターと接続して通信を行うために使用される。なお、デスクランブラ２４はＤＳＰ（デジタル信号処理プロセッサ）またはＰＬＤ（プログラマブルデバイス）などで構成され、カード型チューナー接続時にカード型チューナー１の不揮発性メモリ１５からプログラムまたは論理回路の構成データを読み出して、デスクランブル処理を変更できる構成となっている。
【００２２】
以下、カード型チューナー１を接続した場合のデジタル放送受信機２の動作について説明する。
【００２３】
デジタル放送受信機２は、単体では本体のチューナー２７およびＩＣカードＩ／Ｆ部３６を用いて、本体のチューナー２７で受信可能なデジタル放送の提示を行う。
【００２４】
デジタル放送受信機２は、拡張スロット２０にカード型チューナー１が接続された場合、ユーザーの選局操作によってカード型チューナー１側が選択されると、ＣＰＵ２１はシステムバス３１を通してカード型チューナー１のチューナー１０を選局制御して、所望の周波数の信号を抽出し復調を行ってＴＳ信号３２として本体２側に得る。
【００２５】
本体２側は得られたＴＳ信号から多重分離回路２５を通してＰＡＴ（Ｐｒｏｇｒａｍ　Ａｓｓｏｃｉａｔｉｏｎ　Ｔａｂｌｅ）およびＰＭＴ（ＰｒｏｇｒａｍＭａｐ　Ｔａｂｌｅ）などのＰＳＩ／ＳＩ情報の取得を行って、映像および音声などが伝送されているパケットＩＤを取得すると共に、スクランブル処理が施されているか否か確認を行う。スクランブルが施されている場合には、ＩＣカード１４からスクランブル鍵を得るために、ＴＳ信号からＥＣＭ（Ｅｎｔｉｔｌｅｍｅｎｔ　Ｃｏｎｔｒｏｌ　Ｍｅｓｓａｇｅ）を取得し、カード型チューナー１のＩＣカードＩ／Ｆ１２に接続されたＩＣカード１４に対して、コマンドを発行し、その応答としてスクランブル鍵を得る。なお、カード型チューナー１が受信するデジタル放送で使用するＩＣカードが、デジタル放送受信機２が受信するデジタル放送と共通の場合には、デジタル放送受信機１のＩＣカードＩ／Ｆ２８に接続されたＩＣカード３７に対してコマンドを発行し、その応答としてスクランブル鍵を得ることも可能である。
【００２６】
デスクランブラ２４はＩＣカード１４から得た鍵を用いてスクランブルの施された映像・音声などのパケットデータのスクランブル解除を行う。スクランブル方式がデジタル放送受信機２のチューナー２７が受信するデジタル放送とカード型チューナー１が受信するデジタル放送で異なる場合は、カード型チューナー１の不揮発性メモリ１５からプログラムまたは論理回路の構成データをＣＰＵ２１が読み出し、デスクランブラ２４に対してソフトウェアの入れ替え（ＤＳＰで構成される場合）または内部回路の再構築（ＰＬＤで構成される場合）を行って、デスクランブル処理を変更する。
スクランブルが解除された映像／音声のパケットデータは映像／音声処理回路２６でデコードされ、映像信号４１および音声信号４２として出力される。
【００２７】
【発明の効果】
以上説明したように、本発明には下記の効果がある。
【００２８】
第１の発明によれば、カード型チューナーで受信するデジタル放送の提示に必要なスクランブル鍵は、デジタル放送受信機本体側のＩＣカードインターフェースを利用しなくても、カード型チューナー側のＩＣカードインターフェースを介して得ることでき、デジタル放送受信機で受信する放送とカード型チューナーで受信する放送が異なるＩＣカードを必要とする場合でも、放送チャンネルを交互に切り換えて視聴するときに、ＩＣカードの交換をユーザーに強いることなく、視聴することを可能とする。また、デジタル放送受信機側（本体側）のデスクランブラおよび多重分離回路部を利用するため、有料放送を含めた放送受信機能を新たに追加する場合のカード型チューナーの回路規模を小さくでき、コストも安く実現可能とする。
【００２９】
また、第２の発明によれば、カード型チューナーで新たに受信可能となるデジタル放送のスクランブル方式に、カード型チューナーを装着するデジタル放送受信機（本体側）が未対応の場合でも、デスクランブル処理に必要な信号処理プログラムをカード型チューナーから読み出して、本体側のＤＳＰなどの信号処理プロセッサで構成されるデスクランブラの処理内容を変更することで、カード型チューナーで受信されるデジタル放送のスクランブル方式に簡単に対応することを可能とする。
【００３０】
また、第３の発明によれば、カード型チューナーで新たに受信可能となるデジタル放送のスクランブル方式に、カード型チューナーを装着するデジタル放送受信機（本体側）が未対応の場合でも、デスクランブル処理に必要な論理回路の構成データをカード型チューナーから読み出して、本体側のＰＬＤなどのプログラム可能なデバイスで構成されるデスクランブラの処理内容を変更することで、カード型チューナーで受信されるデジタル放送のスクランブル方式に簡単に対応することを可能とする。
【図面の簡単な説明】
【図１】本発明のカード型チューナーとデジタル放送受信機の一実施形態を示すブロック図である。
【図２】従来のカード型チューナーとデジタル放送受信機の例を示すブロック図である。
【図３】従来のデジタル放送受信機の他の例を示すブロック図である。
【符号の説明】
１　カード型チューナー
２　デジタル放送受信機
１０　チューナー
１１　アンテナ
１２　ＩＣカードＩ／Ｆ
１３　ＩＣカード接続コネクタ
１４　ＩＣカード
１５　不揮発性メモリ
１６　バスＩ／Ｆ
１７　拡張スロット接続コネクタ
１８　ＲＦ信号入力端子
２０　拡張スロット
２１　ＣＰＵ
２２　メモリ
２３　ＲＯＭ
２４　デスクランブラ
２５　多重分離回路
２６　映像／音声処理回路
２７　チューナー
２８　ＩＣカードＩ／Ｆ
２９　モデム
３０　ユーザーＩ／Ｆ
３１　システムバス
３２〜３４　ＴＳ信号
３５　アンテナ
３６　ＩＣカード接続コネクタ
３７　ＩＣカード
３８　電話回線接続コネクタ
３９　リモコン受光部
４０　リモコン
４１　映像信号
４２　音声信号
１００　カード型チューナー
１０１　アンテナ
１０２　ＲＦ信号入力端子
１０３　チューナー
１０４　デスクランブラ
１０５　多重分離回路
１０６　ＩＣカード
１０７　ＩＣカード接続コネクタ
１０８　ＩＣカードＩ／Ｆ
１０９　バスインターフェース回路
１１０　拡張スロット接続コネクタ
１５０　情報処理装置
２００　デジタル放送受信機
２０１　記憶装置
２０２　アンテナ
２０３　チューナー
２０４　デスクランブラ
２０５　復号器
２０６　データ処理部
２０７　ＩＣカード
２０８　ＩＣカードインターフェース部
２０９　映像／音声信号
【図１】
2004056487.tif 000003
【図２】
2004056487.tif 000004
【図３】
2004056487.tif 000005